(57)【要約】【課題】点火プラグの碍子がバーナに形成されている火炎に近接していることにより、碍子温度が上昇し、煮こぼれや水がかかることによるヒートショックでヒビや割れが生じ、碍子に覆われている点火電極の絶縁が保たれず、点火不良が生じるといった課題を解決する。【解決手段】点火プラグ５の碍子８を炎口３の外側で、かつ下方に配置し、調理時における煮こぼれがかかりにくく、バーナ１の炎口３に形成される火炎との距離が離れるため碍子温度の上昇を低く抑えることができる。また、燃焼用の二次空気取り入れ口１４に碍子８を略対向することにより、碍子温度を更に抑えることができる。これによって、碍子に煮こぼれがかかりにくく、例え煮こぼれがかかっても碍子のヒビや割れの発生を防ぐことができる。【選択図】図１
2005106321.tif 000002
【特許請求の範囲】
【請求項１】
中心方向に向けられた炎口を有するバーナと、前記バーナの炎口から噴出するガスに放電点火する点火電極および前記点火電極を被覆する碍子を有する点火プラグを備え、前記点火プラグの碍子を前記バーナの炎口の外側で、かつ下方に設置したことを特徴とするガス燃焼装置。
【請求項２】
中心方向に向けられた炎口を有するバーナと、前記バーナの炎口から噴出するガスに放電点火する点火電極および前記点火電極を被覆する碍子を有する点火プラグを備え、前記点火プラグの碍子を前記バーナの炎口の外側で、かつ下方に設置するとともに、前記バーナの炎口の上部に前記点火電極と相対して点火陰極を設け、前記点火陰極を前記バーナとは別部品で構成したことを特徴とするガス燃焼装置。
【請求項３】
点火陰極に黒色塗装を施した請求項２記載のガス燃焼装置。
【請求項４】
点火陰極の上部に燃焼用の二次空気を取り入れる空間を設けた請求項２または請求項３記載のガス燃焼装置。
【請求項５】
中心方向に向けられた炎口を有するバーナと、前記バーナの炎口から噴出するガスに放電点火する点火電極および前記点火電極を被覆する碍子を有する点火プラグを備え、前記点火プラグの碍子を前記バーナの炎口の外側で、かつ下方に設置し、前記碍子の下方には二次空気取り入れ口を設けたことを特徴とするガス燃焼装置。
【発明の詳細な説明】
【技術分野】
【０００１】
本発明はガス燃料を熱源とするガス燃焼装置に関するものである。
【背景技術】
【０００２】
従来この種のガスコンロとしてのガス燃焼装置は、図３に示すようなものが一般的であった。すなわち、この装置は高圧ケーブル１６に接続し、後述するバーナキャップとの間で放電してガスバーナの炎口から噴出するガスに点火する点火電極５ａおよびこれを絶縁被覆した碍子５ｂを有する点火プラグ５と、熱電対１７と、熱電対１７と点火プラグ５を挿入させる挿入口１８を備え、板金部品で構成されたガスバーナ１９と、ガスバーナ１９に嵌合させるバーナキャップ２０と、ガスバーナ１９と点火プラグ５と熱電対１７を固定するバーナ台２１と、バーナ台２１を設置するバーナ取り付け板２２と、点火プラグ５と熱電対１７を設置のため通過させるバーナ取り付け板２２に設けた通過口２３と、ガスバーナ１９とバーナキャップ２０の嵌合部とガスバーナ１９の挿入口１８との間に隔壁２４を設けるようにしていた。
【０００３】
しかしながら、従来のガス燃焼装置では点火プラグ５の碍子５ｂが、ガスバーナ１９の炎口に生じている火炎に近接しているため、火炎により加熱され碍子５ｂの温度が上昇し、ガスバーナ１９による調理時における煮こぼれや水がかかることによるヒートショックでヒビや割れが生じ、碍子５ｂに覆われている点火電極５ａの電気絶縁が保たれず、点火不良が生じるといった課題を有していた。
【特許文献１】特開平７−３３２６７６号公報
【発明の開示】
【発明が解決しようとする課題】
【０００４】
上記背景技術の問題点に鑑み、本発明が解決しようとする課題は、点火プラグの碍子の温度上昇を軽減し、安定した点火性能を発揮できるガス燃焼装置を提供することにある。
【課題を解決するための手段】
【０００５】
本発明は上記課題を解決するために、点火プラグの碍子をバーナの炎口の外側で、かつ下方に設置することにより、調理時における煮こぼれ等がかかりにくくし、かつバーナの火炎と遠く離れた距離が得られ碍子の温度上昇を低く押さえることができる。
【０００６】
また、本発明は点火プラグの碍子をバーナの炎口の外側で、かつ下方に設置し、さらに燃焼用の二次空気取り入れ口に前記碍子を配置することにより、燃焼用の二次空気により碍子を冷却して碍子温度をさらに抑えることができる。これによって、碍子に煮こぼれがかかりにくく、かつ温度上昇を抑え、例え煮こぼれがかかっても碍子のヒビや割れの発生を防ぐことができる。
【発明の効果】
【０００７】
以上のように本発明のガス燃焼装置は、バーナの火炎による点火プラグの碍子の温度上昇を抑え、調理時における煮こぼれや水がかかった時の碍子の割れやヒビの発生を防ぐことができる。
【発明を実施するための最良の形態】
【０００８】
第１の発明は、中心方向に向けられた炎口を有するバーナと、前記バーナの炎口から噴出するガスに放電点火する点火電極および前記点火電極を被覆する碍子を有する点火プラグを備え、前記点火プラグの碍子を前記バーナの炎口の外側で、かつ下方に設置したガス燃焼装置である。これにより、点火プラグの碍子は、火炎がバーナの中心に向かって上方に形成され、バーナの炎口の火炎から比較的に離れられ、火炎による温度上昇を抑えることができる。
【０００９】
第２の発明は、中心方向に向けられた炎口を有するバーナと、前記バーナの炎口から噴出するガスに放電点火する点火電極および前記点火電極を被覆する碍子を有する点火プラグを備え、前記点火プラグの碍子を前記バーナの炎口の外側で、かつ下方に設置するとともに、前記バーナの炎口の上部に前記点火電極と相対する位置に点火陰極を設け、前記点火陰極を前記バーナとは別部品で構成したガス燃焼装置である。
【００１０】
これにより、点火プラグの碍子は、火炎がバーナの中心に向かって上方に形成され、バーナの炎口の火炎から比較的に離れられ、火炎による温度上昇を抑えることができる。また、点火陰極は、バーナと別部品なのでバーナからの熱伝導の影響を軽減でき、点火陰極の温度上昇が抑えられる。
【００１１】
第３の発明は、第２の発明における点火陰極に黒色塗装を施したガス燃焼装置である。これにより、点火陰極の炎色反応が抑えられる。
【００１２】
第４の発明は、第２の発明または第３の発明における点火陰極の上部に燃焼用の二次空気を取り入れる空間を設けたものである。これにより、点火陰極の炎色反応が抑えられることはもちろん、空間を通る燃焼用の二次空気により点火陰極を冷却し、温度上昇を抑えられる。
【００１３】
第５の発明は、中心方向に向けられた炎口を有するバーナと、前記バーナの炎口から噴出するガスに放電点火する点火電極および前記点火電極を被覆する碍子を有する点火プラグを備え、前記点火プラグの碍子を前記バーナの炎口の外側で、かつ下方に設置し、前記碍子の下方には二次空気取り入れ口を設けたガス燃焼装置である。
【００１４】
これにより、点火プラグの碍子は、火炎がバーナの中心に向かって上方に形成され、バーナの炎口の火炎から比較的に離れられ、火炎による温度上昇を抑えることができる。また、点火陰極は二次空気取り入れ口を通る二次空気により冷却され、点火陰極の温度上昇が抑えられる。
【００１５】
以上のように本発明のガス燃焼装置は、第１〜第５の発明を実施の形態の要部とすることにより本発明の目的を達成できるので、以下には各請求項に対応する実施の形態の詳細を、図１、図２を参照して説明し本発明を実施するための最良の形態の説明とする。
【００１６】
（実施の形態１）
図１は本発明の実施の形態１におけるガスコンロとしてのガス燃焼装置の概略断面図である。図１において、上下の板金を接合してドーナツ状に形成されたバーナ１は、取り付け板２に載置され、そして、バーナ１の内側である内周面にはバーナ１の中心に向かってスリット状の多数の炎口３が配置され、この炎口３より放出された未燃ガスに点火されて炎口３に、バーナ１の中心に向かって上方に火炎４が形成される。
【００１７】
バーナ１の下方には、点火プラグ５が点火プラグ固定板６を介して取り付け板２に取り付けられている。点火プラグ５は、バーナ１の炎口３から噴出する未燃ガスに放電点火する点火電極７および点火電極７を絶縁被覆する碍子８を有し、碍子８によって点火電極７と点火プラグ固定板６の電気的絶縁が保たれている。
【００１８】
点火電極７は、炎口３から放出する未燃ガスの可燃位置に先端が位置するように略直角に曲げられている。点火電極７の先端から点火陰極９に向けて放電させることにより、未燃ガスに点火し、バーナ１の上方に向って火炎４が形成される。点火プラグ５の碍子８は、バーナ１の炎口３より外側で、かつ下方に位置している。点火陰極９は黒色塗装を施し、かつバーナ１とは別個に形成して取り付けるとともに、図２に示すように点火プラグ５を上方から覆う構成にしている。
【００１９】
バーナ１の上部には、煮こぼれカバー１０が設置されており、さらにその上部には鍋を載置するためのゴトク１１が載置されている。ゴトク１１は天板１２の開口部中央に載置される。また、バーナ１の下方中央部には、調理時における鍋（図示せず）からの煮こぼれ液を受ける汁受け皿１３が載置される。
【００２０】
図２は本発明のガス燃焼装置の概略上面図である。点火プラグ５の下の取り付け板２には、碍子８に略対向して矢印で示す二次空気の二次空気取り入れ口１４があけられている。また、点火陰極９の上部には、煮こぼれカバー１０との間に空間１５が設けられ、点火陰極９を冷却するため、矢印で示す燃焼用の二次空気が取り入れられる。
【００２１】
上記実施の形態における作用と効果を説明する。点火プラグ５の碍子８はバーナ１の炎口３より外側で、かつ下方に位置することにより、調理時におけるゴトク１１上の鍋から噴き出した煮こぼれがかかりにくく、また火炎４がバーナ１の中心に向かって、かつ上方へ立ち上がる形で炎口３に形成され、結果的に碍子８が距離を稼ぎ遠ざかることになり、碍子８の火炎による温度上昇を抑えて低温化が実現し、煮こぼれや水がかかったときの割れやヒビの発生を防ぐことができる。
【００２２】
また、点火陰極９は、バーナ１と別部品で構成することにより、バーナ１からの熱伝導の影響を軽減でき、点火陰極９の温度上昇が抑えられる。それにより、点火陰極９の熱変形を防ぎ、点火電極７との間隔を設定値に保ち安定した放電を得ることに繋ぐことができる。また、点火陰極９によって点火プラグ５を覆うことにより、点火プラグ５への煮こぼれがかかるのを防ぐことができる。さらに、点火陰極９を黒色塗装することにより、炎色反応が抑えられ、火炎の赤火発生を抑えることが可能となる。
【００２３】
また、点火陰極９と煮こぼれカバー１０との間には、空間１５を設けて燃焼用の二次空気が取り入れられる構成にしてある。それにより、点火陰極９が矢印で示すように流通する二次空気により冷却され、火炎４による点火陰極９の温度上昇が抑えられ、上記したように点火陰極９の熱変形を防ぐことができる。
【００２４】
さらに、点火プラグ５の下の取り付け板２に、碍子８に略対向して二次空気取り入れ口１４を開けることにより、そこから矢印で示すように燃焼用の二次空気が流入し、点火プラグ５の碍子８が冷却され、碍子８の火炎４による温度上昇を抑え、その低温化が実現できる。
【産業上の利用可能性】
【００２５】
以上の説明から明らかなように本発明のガス燃焼装置は、点火プラグの碍子部分の低温化が実現し、煮こぼれや水がかかったときの割れやヒビの発生を防ぐことができ、放電点火を安定して行うようにする技術に適用できる。
【図面の簡単な説明】
【００２６】
【図１】本発明の実施の形態1におけるガス燃焼装置の概略断面図
【図２】同実施の形態１におけるガス燃焼装置の概略上面図
【図３】従来のガス燃焼装置の概略断面図
【符号の説明】
【００２７】
１  バーナ
３  炎口
４  火炎
５  点火プラグ
７  点火電極
８  碍子
９  点火陰極
１４  二次空気取り入れ口
１５  空間
【図１】
2005106321.tif 000003
【図２】
2005106321.tif 000004
【図３】
2005106321.tif 000005